【手続補正書】
【提出日】平成22年4月28日(2010.4.28)
【手続補正１】
【補正対象書類名】特許請求の範囲
【補正対象項目名】全文
【補正方法】変更
【補正の内容】
【特許請求の範囲】
【請求項１】
レーザーパルスを放射するためのパルスレーザー発振器であって、レーザー共振器（１５）を含み、前記レーザー共振器は、少なくとも１つのポンピング放射源（５）から放射されるポンピング放射によってポンピングされることが可能であり、かつレーザー放射を放射可能なレーザー媒質（４）を含み、前記レーザー共振器（１５）は閉塞期間に前記共振器を閉塞可能なシール手段（７）を含むパルスレーザー発振器において、
前記シール手段（７）は電気光学的なシール手段であり、前記シール手段は供給電圧によって駆動されることが可能であり、前記供給電圧の値が変更されるとき、放射されるパルスの持続時間が変更され、
前記レーザー共振器（１５）は、前記レーザー放射を反射パワーで反射可能な結合偏光子（３）を含み、前記シール手段に供給される前記供給電圧の値が変更されるとき、前記反射パワーが変更されるように前記結合偏光子が配置されることを特徴とするパルスレーザー発振器。
【請求項２】
前記シール手段は、第１の軸を有する第１のRbTiOPO4結晶と、第２の軸を有する第２のRbTiOPO4結晶とを含み、前記第１の軸及び第２の軸は交差している請求項１に記載のパルスレーザー発振器。
【請求項３】
前記レーザー共振器はレーザー閾値を有し、前記レーザー共振器は前記レーザー放射の偏光条件を変更可能な偏光手段（６）を前記結合偏光子（３）の前段に含み、自由な稼動条件の損失限度において前記レーザー閾の真下に前記レーザー共振器が位置するように前記偏光手段（６）が配置される請求項１又は２に記載のパルスレーザー発振器。
【請求項４】
前記レーザー共振器は第１のミラー（２）及び第２のミラー（８）によって閉塞され、前記第１のミラー及び第２のミラーは安定性パラメータを定義し、前記安定性パラメータは０．４乃至０．６である請求項１〜３の何れか１項に記載のパルスレーザー発振器。
【請求項５】
請求項１〜４の何れか１項に記載のパルスレーザー発振器を含むデバイスであって、前記供給電圧を前記シール手段に供給可能な供給手段（１３）と、前記供給電圧を変更可能なシール供給制御手段（１０）とを備えるデバイス。
【請求項６】
ポンピング電流を前記ポンピング放射源（５）に供給可能なポンピング供給手段（１４）を備え、前記デバイスは、前記ポンピング放射はエネルギーを有し、前記エネルギーは前記ポンピング電流の関数であり、前記ポンピング電流を変更可能なポンピング制御手段（１１）を備える請求項５に記載のデバイス。
【請求項７】
前記パルスレーザー発振器はレーザー信号を放射可能であり、前記供給電圧及び前記ポンピング電流は、前記エネルギーが実質的に一定となるように選択される請求項６に記載のデバイス。
【請求項８】
レーザー共振器を備えるパルスレーザー発振器により放射されるパルスの持続時間を変更するための方法であって、前記レーザー共振器はレーザー媒質（４）及びシール手段を含み、前記レーザー媒質（４）は少なくとも１つのポンピング放射源（５）から放射されるポンピング放射によってポンピングされることが可能であり、かつレーザー放射を放射可能であり、前記レーザー共振器（１５）は、前記レーザー放射を反射パワーで反射可能な結合偏光子（３）を含み、前記シール手段に供給される前記供給電圧の値が変更されるとき、前記反射パワーが変更されるように前記結合偏光子が配置され、前記方法は、
前記シール手段に供給電圧を供給する工程と、
前記パルスレーザー発振器によって放射される前記パルスの持続時間を変更するように前記供給電圧を変更する工程とを備える方法。
【請求項９】
前記ポンピング放射はポンピングエネルギーを有し、前記方法は、
ポンピング電流を前記ポンピング放射源に供給する工程と、
前記ポンピング電流を変更する工程とを備え、
前記ポンピングエネルギーは前記ポンピング電流の関数である請求項８に記載の方法。
【請求項１０】
前記パルスレーザー発振器はレーザー信号を放射可能であり、前記供給電圧及び前記ポンピング電流は、前記エネルギーが実質的に一定となるように選択される請求項９に記載の方法。
【請求項１１】
前記レーザー共振器はレーザー閾値を有し、前記レーザー共振器は前記レーザー放射の偏光条件を変更可能な偏光手段（６）を前記結合偏光子（３）の前段に含み、前記方法は、
最大値に固定されるポンピング電流を前記ポンピング放射源に供給する工程と、
前記レーザー共振器を自由な稼動条件に配置する工程と、
前記自由な稼動条件の損失限度において前記レーザー閾値の真下に前記レーザー共振器が位置するように前記偏光手段を調節する工程と、
供給電圧を前記シール手段に印加する工程と、
前記供給電圧及び前記ポンピング電流を互いに独立して変更する工程とを備える請求項８〜１０の何れか１項に記載の方法。
【手続補正２】
【補正対象書類名】明細書
【補正対象項目名】発明の名称
【補正方法】変更
【補正の内容】
【発明の名称】可変パルス持続時間を有するパルスレーザー発振器、そのパルスレーザー発振器を備えるデバイス、及びパルス持続時間を変更する方法
【手続補正３】
【補正対象書類名】明細書
【補正対象項目名】００１５
【補正方法】変更
【補正の内容】
【００１５】
これらの目的の少なくとも１つは、第１の態様に従い、パルスレーザー発振器に関する本発明によって達成される。本発明は、レーザーパルスを放射するためのパルスレーザー発振器であって、レーザー共振器を含み、前記レーザー共振器は、少なくとも１つのポンピング放射源から放射されるポンピング放射によってポンピングされることが可能であり、かつレーザー放射を放射可能なレーザー媒質を含み、前記レーザー共振器は閉塞期間に前記共振器を閉塞可能なシール手段を含むパルスレーザー発振器において、前記シール手段は電気光学のシール手段であり、前記シール手段は供給電圧によって駆動されることが可能であり、前記供給電圧の値が変更されるとき、放射されるパルスの持続時間が変更されることを特徴とするパルスレーザー発振器である。
【手続補正４】
【補正対象書類名】明細書
【補正対象項目名】００１６
【補正方法】変更
【補正の内容】
【００１６】
このレーザー共振器において、シール手段は、例えば電気光学結晶を含む。
従って、電気光学のQスイッチの供給電圧を変更することにより、パルスレーザー発振器のレーザーパルスの持続時間を変更することが可能である。
【手続補正５】
【補正対象書類名】明細書
【補正対象項目名】００１７
【補正方法】変更
【補正の内容】
【００１７】
ここで、電気光学スイッチの閉塞率が、例えば特許文献１で開示されるような音響光学スイッチの閉塞率よりもかなり大きいことを留意されたい。
本発明の一実施形態に従い、上述したパルスレーザー発振器において、前記レーザー共振器は、前記レーザー放射を反射パワーで反射可能な結合偏光子を含み、前記シール手段に供給される前記供給電圧の値が変更されるとき、前記反射パワーが変更されるように前記結合偏光子が配置される。
【手続補正６】
【補正対象書類名】明細書
【補正対象項目名】００１８
【補正方法】変更
【補正の内容】
【００１８】
従って、結合偏光子の反射パワーは供給の関数として変化し、レーザーパルスの持続時間の変動という結果となる。
加えて、上述したパルスレーザー発振器において、正確な温度不感応性、正確な流束の状態(tenue au flux)を有するパルスレーザー発振器を供給するために、前記シール手段は、第１の軸を有する第１のRbTiOPO4結晶と、第２の軸を有する第２のRbTiOPO4結晶とを含み、前記第１の軸及び第２の軸は交差している。
【手続補正７】
【補正対象書類名】明細書
【補正対象項目名】００１９
【補正方法】変更
【補正の内容】
【００１９】
加えて、上述したパルスレーザー発振器において、外部の干渉に対する発振器の正確な不感応性を保証するために、前記レーザー共振器は第１のミラー及び第２のミラーによって閉塞され、前記第１のミラー及び第２のミラーは安定性パラメータを定義し、前記安定性パラメータは０．４乃至０．６であり、好ましくは０．５である。
【手続補正８】
【補正対象書類名】明細書
【補正対象項目名】００２０
【補正方法】変更
【補正の内容】
【００２０】
また、本発明は前述したようなパルスレーザー発振器を備えるデバイスに関する。デバイスは、前記可変供給電圧を前記シール手段に供給可能な供給手段と、発振器によって放射されたレーザーパルスの持続時間を変更するために、前記供給電圧を変更可能なシール供給制御手段を制御するための手段とを備える。